(57)【要約】【課題】動画再生時ではすばやく再生ズーム範囲を移動することができ、また動画一時停止時は極め細かく再生ズーム範囲を移動することができるような再生ズームを実現することにある。【解決手段】画面に表示される画像に任意の部分を拡大表示するための拡大処理手段と、前記画像が動画であるか静止画であるかに応じて、前記拡大処理手段の動作特性を変更する制御手段とを備えた再生装置。【選択図】　　　　図２
2004072684.tif 000002
【特許請求の範囲】
【請求項１】
画面に表示される画像に任意の部分を拡大表示するための拡大処理手段と、
前記画像が動画であるか静止画であるかに応じて、前記拡大処理手段の動作特性を変更する制御手段と、
を備えたことを特徴とする再生装置。
【請求項２】
請求項１において、
前記拡大処理手段は、拡大処理を施す画像の範囲を変更する拡大範囲変更手段を含み、前記制御手段は、前記拡大範囲変更手段によって拡大する画像の範囲を変更する操作を行ってから、実際に拡大範囲が移動を開始するまでの時間を、動画像表示状態であるか静止画表示状態であるかによって可変するように構成されていることを特徴とする再生装置。
【請求項３】
請求項２において、
前記拡大範囲変更手段は、前記画像の拡大する位置、範囲及び倍率を変更可能であることを特徴とする再生装置。
【請求項４】
請求項１において、
前記制御手段は、動画像表示状態である場合には、前記拡大範囲変更手段によって拡大する画像の範囲を変更する操作を行ってから、実際に拡大範囲が変化を開始するまでの時間を短くし、静止画像表示状態である場合には、前記拡大範囲変更手段によって拡大する画像の範囲を変更する操作を行ってから、実際に拡大範囲が変化を開始するまでの時間を長くするように制御することを特徴とする再生装置。
【請求項５】
動画像を再生可能な再生手段と、
前記再生手段によって再生された再生画像を拡大する拡大手段と、
前記拡大手段によって拡大する画像の範囲を設定する拡大範囲変更手段と、
前記再生手段が動画像再生状態か、動画再生一時停止状態であるかによって、前記拡大範囲変更手段の動作特性を変更する制御手段と、
を備えたことを特徴とする再生装置。
【請求項６】
請求項５において、
前記制御手段は、前記拡大範囲変更手段によって拡大する画像の範囲を変更する操作を行ってから、実際に拡大範囲が移動を開始するまでの時間を、動画像再生状態であるか動画再生一時停止状態であるかによって可変するように構成されていることを特徴とする再生装置。
【請求項７】
請求項５において、
前記拡大範囲変更手段は、前記画像の拡大する位置、範囲及び倍率を変更可能であることを特徴とする再生装置。
【請求項８】
請求項５において、
前記制御手段は、前記再生手段が動画像再生状態である場合には、前記拡大範囲変更手段によって拡大する画像の範囲を変更する操作を行ってから、実際に拡大範囲が移動を開始するまでの時間を短くし、動画再生一時停止状態である場合には、前記拡大範囲選択手段によって拡大する画像の範囲を変更する操作を行ってから、実際に拡大範囲が移動を開始するまでの時間を長くするように制御することを特徴とする再生装置。
【請求項９】
動画像及び静止画像を再生する再生装置を制御するためのプログラムであって、
再生手段によって画像を再生する処理と、
前記再生手段によって再生された再生画像を拡大する処理と、
前記拡大手段によって拡大する画像の範囲を変更する拡大範囲変更手段によって、前記画像の拡大範囲を設定する処理と、
前記再生手段が動画像再生状態か、動画再生一時停止状態であるかによって、前記拡大範囲変更手段の動作特性を変更する処理と、
を実行するように構成されたことを特徴とする再生装置の制御プログラム。
【請求項１０】
請求項９において、
前記拡大範囲変更手段の動作特性を変更する処理は、前記拡大範囲変更手段によって拡大する画像の範囲を変更する操作を行ってから、実際に拡大範囲が移動を開始するまでの時間を、動画像再生状態であるか動画再生一時停止状態であるかによって可変するように構成されていることを特徴とする再生装置の制御プログラム。
【請求項１１】
請求項９において、
前記拡大範囲変更手段は、前記画像の拡大する位置、範囲及び倍率を変更可能であることを特徴とする再生装置の制御プログラム。
【請求項１２】
請求項１０において、
前記拡大範囲変更手段の動作特性を変更する処理は、動画像再生状態である場合には、前記拡大範囲変更手段によって拡大する画像の範囲を変更する操作を行ってから、実際に拡大範囲が移動を開始するまでの時間を短くし、動画再生一時停止状態である場合には、前記拡大範囲選択手段によって拡大する画像の範囲を変更する操作を行ってから、実際に拡大範囲が移動を開始するまでの時間を長くするように制御することを特徴とする再生装置の制御プログラム。
【発明の詳細な説明】
【０００１】
【発明の属する技術分野】
本発明は再生ズーム機能を有する画像処理装置及び再生装置に関する。
【０００２】
【従来の技術】
最近のデジタルビデオカメラシステムでは再生拡大処理システムを搭載したものがある。すなわち再生している画像の任意の位置を拡大して見られるものである（以下再生画像を拡大することを再生ズームと呼ぶ）。
【０００３】
そして、再生ズームを行う場合には、再生ズームＯＮ／ＯＦＦキーをＯＮにし、モニタ画面を見ながら、カーソルキー、十字キーのようなポインタを移動させるのに適したズームコントロールキーによって、再生されている映像に対して拡大処理を施したい拡大ポイント及び範囲を移動し、選択する。
【０００４】
【発明が解決しようとする課題】
しかしながら、上記従来例では再生された画像に対して、任意の位置を拡大し再生ズームをおこなう場合、次のような問題点があった。すなわち再生画像が動画で再生されているとき、拡大したい被写体が再生画像の中で頻繁に動いている（たとえば子供を撮影した場合など）ような場合、前記ズームコントロールキーの押下に対してウエイトすなわち追従性を重視し、遅れなく操作に応答し、再生ズーム範囲が移動することが操作性上好ましい。このような場合は前記ズームコントロールキーの押下と同時に再生ズーム範囲は動き出し、かつ再生ズーム範囲が移動しているとこの単位時間あたりの再生ズーム範囲移動量は大きいことが望ましい。
【０００５】
しかしながら、再生画像中の頻繁に動いている任意の被写体を追いかけることを想定して、前記ズームコントロールキーの押下と同時に再生ズーム範囲を動かし、かつ単位時間あたりの再生ズーム範囲移動量を大きくしてしまうと、再生画像が一時停止され静止画像となったときに、任意の被写体を画面の中心にもってきたいときなどは前記キー１３をほんの少し押下しただけで再生ズーム範囲がすばやく予想以上の移動量移動してしまい、思うように拡大画像をモニター画面の中心に持ってこれないといった不具合があった。
【０００６】
また逆に再生画像が再生一時停止されているような場合に任意の被写体をモニター画面の中央にうまく持ってこれるように前記ウエイト時間と前記単位時間あたりの再生ズーム範囲移動量を小さく設定してしまうと、再生画像を一時停止から動画再生に切り換えたときに再生ズームをしたい任意の被写体を追いかけきれないといった相反する問題が発生していた。
【０００７】
【課題を解決するための手段】
上述のような課題を解決するために本願における請求項１に記載の発明によれば、画面に表示される画像に任意の部分を拡大表示するための拡大処理手段と、前記画像が動画であるか静止画であるかに応じて、前記拡大処理手段の動作特性を変更する制御手段とを備えた再生装置を特徴とする。
【０００８】
また本願における請求項５に記載の発明によれば、動画像を再生可能な再生手段と、前記再生手段によって再生された再生画像を拡大する拡大手段と、前記拡大手段によって拡大する画像の範囲を設定する拡大範囲変更手段と、前記再生手段が動画像再生状態か、動画再生一時停止状態であるかによって、前記拡大範囲変更手段の動作特性を変更する制御手段とを備えた再生装置を特徴とする。
【０００９】
また本願における請求項９に記載の発明によれば、動画像及び静止画像を再生する再生装置を制御するためのプログラムであって、再生手段によって画像を再生する処理と、前記再生手段によって再生された再生画像を拡大する処理と、前記拡大手段によって拡大する画像の範囲を変更する拡大範囲変更手段によって、前記画像の拡大範囲を設定する処理と、前記再生手段が動画像再生状態か、動画再生一時停止状態であるかによって、前記拡大範囲変更手段の動作特性を変更する処理とを実行するように構成された再生装置の制御するためのコンピュータプログラムを特徴とする。
【００１０】
【発明の実施の形態】
図１は本発明における画像処理装置及び再生装置を、動画記録可能かつ動画再生ズーム可能なデジタルカメラに適用した場合の一例を示すブロック図である。
【００１１】
同図において、１はピント合わせやズーミングを行うためのレンズであり、マイクロコンピュータによって構成されたシステムコントローラ１２によりドライバ１５を介し光軸方向に移動することによって、焦点調節や光学変倍率の可変を行う。
【００１２】
レンズ１を通過した光は、絞り２で適切な光量に調節される。絞り２もシステムコントローラ１２によりドライバ１５を介して制御される。
【００１３】
絞り２を通過した光は撮像素子としてのＣＣＤ３の撮像面上に結像し電気信号に光電変換され、この光電変換された信号はタイミングジェネレータＴＧ６で発生された基準クロックによってＣＣＤ３から読み出され、ＣＤＳ・ＡＧＣ４でサンプル／ホールドされると同時に最適なゲインにコントロールされ、Ａ／Ｄ変換器５で基準クロックに同期したデジタル信号に変換される。
【００１４】
そしてカメラ信号処理回路７でオートフォーカス（ＡＦ）、ホワイトバランス（ＡＷＢ）、ＡＥ用の評価信号が生成され、各評価信号を元にシステムコントローラ１２により各ドライバ１６介して適切な映像状態に調節される。
【００１５】
またデジタル化された映像は、電子ズーム補間回路８を介して、記録再生処理回路９へと供給され、デジタル信号として記録媒体１０に記録されると同時に、液晶ドライバ１１を介しモニタとしての液晶表示装置１２に表示される。
【００１６】
電子ズーム補間回路８は、画像信号を補間処理（あるいは間引き）によって電子的に拡大（縮小）するためのもので、本発明の拡大処理手段に相当する。またこの電子ズーム補間回路は、記録時にも再生時にも動作することができる。
【００１７】
一方、再生された画像に対して再生ズームを施す場合、記録再生処理回路９によって記憶媒体１０から読み出され再生された画像は、カメラ信号処理回路７にいったん戻され、電子ズーム処理回路８によって、再生画像に対してズーム拡大処理を行い、任意の倍率に拡大された画像は液晶ドライバ１１を介し液晶表示装置１２に表示される。
【００１８】
このとき再生ズームを行うか否かは再生ズームＯＮ／ＯＦＦキー１５によって選択し、再生されている映像に対して拡大処理を施したい範囲を動かすには、再生ズーム範囲移動用コントロールキー１４（本発明の拡大範囲変更手段に相当する）を使用する。再生ズーム範囲移動用コントロールキー１４は上下左右にキーのある十字キーのようなものが再生画像中の拡大ポイント移動させるには操作する上で好ましい。
【００１９】
次に、本発明の動作を図２に示すフローチャートを用いて説明する。同図の処理は、本発明の制御手段に相当するシステムコントローラ１２によって実行され、図２のフローチャートに示す処理がコンピュータプログラムの形式で格納されている。
【００２０】
システムコントローラ１２への電源投入とともにステップ１００で処理が始まり、ステップ１０１で動画再生中であるか否かの判定を行う。ここで動画再生中でないときは再度ステップ１０１に戻り、動画再生中か否かの判定を繰り返し行い、ステップ１０１で動画再生中であることが判定された場合には、ステップ１０２に進み、再生ズームのＯＮ／ＯＦＦの判定を行う。
【００２１】
ステップ１０２において、再生ズームＯＦＦならば、ステップ１０１に戻り、前述の処理を行う。また再生ズームＯＮならばステップ１０３に進み、動画再生中か動画再生一時停止中かの判定を行う。ステップ１０３において動画再生中であればステップ１１０に進み、動画再生時の再生ズーム処理を行う。
【００２２】
ステップ１１０〜１１５は、動画再生時の再生ズーム処理を示すもので、ステップ１１０では再生ズーム範囲移動用コントロールキー１４が押下されているかどうかの判定を行う。前記再生ズーム範囲移動用コントロールキー１４が押下されていなければ、ステップ１１５に進み再生ズーム範囲移動用コントロールキー押下時間計測用のカウンタを初期化し、ステップ１０１に戻る。
【００２３】
またステップ１１０で前記再生ズーム範囲移動用コントロールキー１４が押下されていれば、ステップ１１１に進み前記コントロールキーの押下時間の計測判定を行う。ステップ１１１で前記計測用カウンタが所定の待ち時間ウエイトＢ（カウンタのカウント値に対応させた待ち時間）以上の値（カウント値＞ウエイトＢ）になっていなければ、ステップ１１２に進み、前記計測用カウンタをインクリメントし、ステップ１１０に戻る。
【００２４】
また前記計測用カウンタがウエイト２以上の値になっていればステップ１１３に進み、再生ズーム範囲移動量を大きく設定する。そしてステップ１１４に進み、前記範囲移動量を大きくした状態で再生ズーム範囲を移動し、ステップ１０１に戻る。
【００２５】
すなわち、以上の処理により、動画像再生中は、再生ズーム範囲移動用コントロールキー１４を押下して、再生ズーム範囲を変更する操作を行ったとき、再生ズーム範囲移動用コントロールキー押下時間計測用のカウンタのカウント値でウエイトＢの待ち時間だけ遅れて再生ズーム範囲が移動を開始することになる。このウエイトＢに相当する遅れ時間は、動画に対する追従性を優先すれば０であっても構わないが、キー操作の振動やノイズに対して過剰に反応して安定性を失わず、且つ動画に対して十分快適に追従可能な応答性を有する範囲で若干の遅れ時間に設定している。
【００２６】
一方、ステップ１０３で、動画再生一時停止と判定された場合は、ステップ１０４に進み、動画再生一時停止時の再生ズーム処理を行う。ステップ１０４では再生ズーム範囲移動用コントロールキー１４が押下されているかどうかの判定を行う。前記コントロールキーが押下されていなければ、ステップ１０９に進み前記コントロールキー押下時間計測用カウンタを初期化し、ステップ１０１に戻る。
【００２７】
またステップ１０４で前記コントロールキー１４が押下されていれば、ステップ１０５に進み前記コントロールキー１４の押下時間の計測判定を行う。ステップ１０５では前記計測用カウンタが所定の待ち時間（遅れ時間）ウエイトＡ以上の値になっていなければ、ステップ１０６に進み、前記計測用カウンタをインクリメントし、ステップ１０４に戻る。
【００２８】
また前記計測用カウンタがウエイトＡ以上の値になっていれば、ステップ１０７に進み、再生ズーム範囲移動量を小さく設定する。そしてステップ１０８に進み、前記範囲移動量の小さな状態で再生ズーム範囲を移動し、ステップ１０１に戻る。また動画再生状態における遅れ時間ウエイトＢと、動画再生一時停止状態における遅れ時間ウエイトＡとの関係は、ウエイトＢ＞ウエイトＡとなっている。また再生ズーム範囲の移動量は、動画再生状態＞動画再生一時停止状態となっている。
【００２９】
これによって、動画一時停止状態では、再生ズーム範囲移動用コントロールキー１４を押下して再生ズーム範囲を移動する操作を行ったとき、再生ズーム範囲移動用コントロールキーの操作に対し、所定の遅れ時間ウエイトＡを介して再生ズーム範囲が移動し、且つその単位移動量も小さく設定されるので、静止画像に対して、再生ズーム範囲をワンステップづつ、正確かつ確実に移動させることができる。
【００３０】
すなわち動画再生状態では、再生ズーム範囲移動用コントロールキーを押下して再生ズーム範囲を移動する操作を行ったとき、動画像に対して遅れなく、再生ズーム範囲を応答よく追従させることができ、動画再生一時停止状態では、再生ズーム範囲移動用コントロールキーの操作に対する再生ズーム範囲の移動を遅れ時間を持って、かつ小さいステップで正確に移動することができるものである。
【００３１】
システムコントローラ１２は、電源が切れるまでこの処理を繰り返す。またステップ１０７とステップ１１３の単位時間あたりの再生ズーム範囲移動量大と再生ズーム範囲移動量小の関係は単位時間あたりの再生ズーム範囲移動量大＞再生ズーム範囲移動量小を意味するものである。
【００３２】
以上説明したように、動画再生中の再生ズーム制御では再生ズーム範囲移動キー押下から再生ズーム範囲移動開始までの時間を短くし、かつ単位時間あたりの前記再生ズーム範囲移動量を大きくすることにより、再生動画の中の任意の被写体に追従できるように制御し、また動画再生が一時停止状態になったときの再生ズーム制御では再生ズーム範囲移動キー押下から再生ズーム範囲移動開始までの時間を長くし、かつ単位時間あたりの前記再生ズーム範囲移動量を小さくすることにより、細かく再生ズーム範囲を移動させることができる。
【００３３】
【発明の効果】
以上説明したように、本発明によれば、動画再生時ではすばやく再生ズーム範囲を移動することができ、また動画一時停止時は極め細かく再生ズーム範囲を移動することができ、操作性が格段に向上する。
【図面の簡単な説明】
【図１】本発明の構成を示すブロック図である。
【図２】本発明におけるシステムコントローラ１２の動作を表すフローチャートである。
【符号の説明】
８　電子ズーム補間回路
１３　システムコントローラ
１４　再生ズームコントロールキー
１５　再生ズームＯＮ／ＯＦＦキー
【図１】
2004072684.tif 000003
【図２】
2004072684.tif 000004